(57)【要約】【課題】本考案は、資源の無駄遣いを押さえ、ごみ処理問題を解決するために、廃棄せずに再利用することに適したディスプレイパッケージを提供することにある。【解決手段】本考案に係るディスプレイパッケージＡは、台板１０と、開口部２１を有し、商品を収納するための中空の透明容器２０とからなり、前記透明容器２０の開口部２１が台板１０により閉塞される形態で、台板１０に透明容器２０が係止手段３０により着脱自在に配されてなるものである。【選択図】        図１
0003107590.tif 000002
【実用新案登録請求の範囲】
【請求項１】
台板と、開口部を有し、商品を収納するための中空の透明容器とからなり、
前記透明容器の開口部が台板により閉塞される形態で、台板に透明容器が係止手段により着脱自在に取着されてなることを特徴とするディスプレイパッケージ。
【考案の詳細な説明】
【技術分野】
【０００１】
本考案は、商品の輸送及び販売に使用するパッケージであって、特に、商品を包装したままで透視できる状態で展示販売できるディスプレイパッケージに関する。
【背景技術】
【０００２】
従来より、商品が透視できるパッケージが使用されており、商品購入後、パッケージから商品を取り出した後は、その空のパッケージは、その商品の収納用に再使用される場合もあるが、通常は廃棄されてしまう。その理由は、商品を取り出す際にパッケージ全体を破壊する必要があったり、パッケージが商品の形態をなしているため、他の用途に使用することができなかったり、また、商品説明等の商品に関する記載があるため、体裁上、他の用途に使用できない等のことによる。
【考案の開示】
【考案が解決しようとする課題】
【０００３】
このようなパッケージは、その製造に相当なコストを必要とするにもかかわらず、ほとんどが廃棄されてしまうため、資源の無駄遣いになるのみならず、廃棄するにしても、嵩高くて取扱いが不便な上、合成樹脂が使用されているため、深刻なごみ処理問題が発生しているのが現状である。
【０００４】
そこで、本考案者は、上記の問題点に鑑み、資源の無駄遣いを押さえ、ごみ処理問題を解決するために、廃棄せずに再利用することに適したパッケージを開発した。
【課題を解決するための手段】
【０００５】
本考案に係るディスプレイパッケージは、台板と、開口部を有し、商品を収納するための中空の透明容器とからなり、前記透明容器の開口部が台板により閉塞される形態で、台板に透明容器が係止手段により着脱自在に配されてなることを特徴とするものである。
【０００６】
このように台板に透明容器を着脱自在に構成したことにより、前記透明容器に内包されている商品を取り出した後、透明容器を簡単に台板に取り付けることができ、また、繰り返し、着脱可能である。
【考案の効果】
【０００７】
本考案に係るディスプレイパッケージは、上記のような構成よりなるので、商品を取り出した後の空の透明容器内に、写真や工芸名産品等の記念品を入れて飾ったり、また、造花や人形等の室内装飾品を入れて飾ったり、さらに、ぬいぐるみやおもちゃ等の遊具を入れて飾ると、前記透明容器との組合せにより、その内容物が引き立ち、かつ、豪華絢爛に見え、しかも、内容物に埃などが被ることがないので、汚れが防止できて便利である。
【０００８】
また、従来は廃棄されていたディスプレイパッケージが、再利用可能となるので、資源の無駄遣いにならず、ごみ処理問題の解消にも寄与し、社会的貢献度の高い考案である。
【考案を実施するための最良の形態】
【０００９】
以下、本考案に係るディスプレイパッケージの実施例を添付の図面に基づいて詳細に説明する。
【００１０】
図１はディスプレイパッケージの分解斜視図であり、図２はディスプレイパッケージの完成状態を示す斜視図であり、図３はディスプレイパッケージの中央横断面図である。
【００１１】
各図において、Ａは本実施例に係るディスプレイパッケージであって、台板１０と透明容器２０と、台板１０に透明容器２０を着脱自在に固定する係止手段３０とから構成される。
【００１２】
台板１０は、厚みのある紙製であって、ディスプレイ用の便のために吊り下げ用孔１１が形成されている。この台板１０において、前記吊り下げ用孔１１を含む区画１２と透明容器２０が固定される区画１３との間に切り取り線１４が表示されており、区画１２に商品の説明等が記載されるようにすれば、このディスプレイパッケージＡから内包されている商品を取り出した後、ディスプレイパッケージＡを室内装飾用に再利用する場合には、区画１２を切り取って使用すると体裁がよい。また、この台板１０には、透明容器２０を固定するための係止手段３０を挿通するための小孔１５ａ〜１５ｄが設けられている。
【００１３】
なお、台板１０は、紙製に限られるものではなく、合成樹脂製、金属製、木製、あるいはそれらの積層体で形成してもよい。また、上記の吊り下げ用孔１１の形成方法は、本実施例に限られものではなく、また、必ずしも吊り下げ用孔１１を設けなくてもよい。さらに、本実施例のように、区画１２と区画１３との間に表示される切り取り線１４も、必ずしも台紙１０に表示しなくてもよい。
【００１４】
透明容器２０は、無色透明な合成樹脂シートよりなる半球型のものであって、射出成形、ブロー成形あるいは真空成形等の成形方法により形成され、開口部２１をを有する中空体よりなる。開口部２１の周縁には外方に延出した鍔部２２が形成されており、この鍔部２２には、係止手段３０を挿通するために使用する係合孔２３ａ〜２３ｄが形成されている。
【００１５】
なお、本実施例における透明容器２０は、半球型のものを採用したが、体裁が悪くなければどのような形状でも差し支えないが、ダイヤカット型、ドーム型、直方体型、円錐台型、角錐台型等の形状が、室内装飾用として再利用する際に装飾的に優れているので好ましい。また、本実施例においては無色透明な透明容器２０を採用したが、着色された透明なものでもよい。さらに、透明容器２０は、一般に薄手の可変形のものがコスト軽減のために使用されるが、再利用することを考慮すれば、硬度を高くして容易に変形しない透明容器を採用することが好ましい。
【００１６】
本実施例における係止手段３０としては、半球状の頭部３１と頭部から垂下する２本のピン３２ａ、３２ｂとからなる割ピン式の係止具を使用している。そして、前述した台板１０の上に、台板１０の小孔１５ａ〜１５ｄと透明容器２０の係合孔２３ａ〜２３ｄとが一致するように透明容器２０を載置し、４個用意した係止手段３０の各ピンを透明容器２０の係合孔２３ａ〜２３ｄから台板１０の小孔１５ａ〜１５ｄを貫通するように刺し込んだ後、図３に示すようにピン先を開くことにより、台板１０に透明容器２０を固定する。逆に、係止手段３０の開いたピン先を閉じて、透明容器２０の係合孔２３ａ〜２３ｄ及び台板１０の小孔１５ａ〜１５ｄから係止手段３０を引き抜けば、透明容器２０を台板１０から容易に取り外すことができる。
【００１７】
なお、本実施例において使用した係止手段は、割ピン式の係止具であるが、台板１０と透明容器２０との着脱方法は、この係止手段３０に限られるものではない。例えば透明容器２０の縁部に雄側ネジ孔を形成し、台板１０に透明容器２０の雄側ネジ孔に螺合する雌側ネジ孔を形成することにより、台板１０に対して透明容器２０を着脱可能に取着できるようにしてもよく、その他種々の着脱方式を採用してもよい。
【００１８】
以上詳述したように、本実施例に係るディスプレイパッケージＡは、台板１０に透明容器２０を係止手段３０により着脱自在に構成したことにより、前記透明容器２０に内包されている商品を取り出した後、透明容器２０を簡単に台板１０に取り付けることができ、また、繰り返し、着脱可能である。したがって、本実施例に係るディスプレイパッケージＡは、商品を取り出した後の空の透明容器内に、装飾品等の種々の物品を収納して吊り下げたり、載置することにより室内を装飾することができ、収納された種々の物品はパッケージによって埃などから保護されるので、保存状態を良好に維持できる利点がある。
【００１９】
このように、従来は廃棄されていたディスプレイパッケージが、再利用可能となるので、資源の無駄遣いにならず、ごみ処理問題の解消にも寄与し、社会的貢献度の高い考案である。
【図面の簡単な説明】
【００２０】
【図１】本発明の実施例に係るディスプレイパッケージの分解斜視図である。
【図２】本発明の実施例に係るディスプレイパッケージの完成状態を示す斜視図である。
【図３】本発明の実施例に係るディスプレイパッケージの中央横断面図である。
【符号の説明】
【００２１】
Ａ・・・ディスプレイパッケージ
１０・・台板
１１・・吊り下げ用孔
１２・・吊り下げ用孔を含む区画
１３・・透明容器が固定される区画
１４・・切り取り線
１５ａ〜１５ｄ・・小孔
２０・・透明容器
２１・・開口部
２２・・鍔部
２３ａ〜２３ｄ・・係合孔
３０・・係止手段
３１・・半球状の頭部
３２ａ、３２ｂ・・ピン
【図１】
0003107590.tif 000003
【図２】
0003107590.tif 000004
【図３】
0003107590.tif 000005